(57)【要約】  【課題】  【解決手段】  内部に含有されている圧縮可能な物を圧縮するザックにおいて、当該ザックが：前記物を受ける柔軟な本体部（２０）であって、下側ベース部（２２）と、壁手段（２１）と、前記物をザック内に導入しザックから取り出すための上側開口（２３）とを具える本体部と；本体部の外側に、開口近傍で本体部に固定されたカバー手段（２８）であって、ベース近傍で本体部に開放可能に締結するためのカバー締結手段（２９、３０、３１、３２）を有し、これによって、カバー手段が前記開口を覆うカバー手段と；本体部の外側に本体部に取り付けた複数のストラップ（２５、２６）及び／又はコネクタと；を具え、前記カバー締結手段と複数のストラップ及び／又はコネクタが前記本体部内の物を圧縮するよう動作可能であるザック。【選択図】    図５
2007512861.tif 000002
【特許請求の範囲】
【請求項１】
内部に含有されている圧縮可能な物を圧縮するザックにおいて、当該ザックが：
前記物を受ける柔軟な本体部であって、下側ベース部と、壁手段と、前記物をザック内に導入しザックから取り出すための上側開口とを具える本体部と；
前記本体部の外側に、前記開口近傍で前記本体部に固定されたカバー手段であって、前記ベース近傍で本体部に開放可能に締結するためのカバー締結手段を有し、カバー手段が前記開口を覆うカバー手段と；
前記本体部の外側に本体部に取り付けた複数のストラップ及び／又はコネクタと；
を具え、
前記カバー締結手段と複数のストラップ及び／又はコネクタが前記本体部内の物を圧縮するよう動作可能であることを特徴とするザック。
【請求項２】
請求項１に記載のザックが、もう一つのあるいはその他の複数のストラップ及び／又はコネクタと共働する肩ストラップを具え、前記ザックがバックパックを構成することを特徴とするザック。
【請求項３】
請求項２に記載のザックにおいて、前記壁手段の上側部分が開口を構成しており、当該開口の引き紐を具えることを特徴とするザック。
【請求項４】
請求項３に記載のザックにおいて、前記本体部分が満杯のときに略筒状をなし、前記カバー手段がキャップ状であり、前記カバー締結手段が前記本体部に締結されているときに前記開口をカバーし、前記開口の下側に延在するように構成されていることを特徴とするザック。
【請求項５】
請求項４に記載のザックが、前記壁手段に並列して前記壁手段に取り付けられている前記肩ストラップ間に、多孔質の柔軟なパネル部材を具え、バックパックの背部にスリーブを構成し、バックパックとして使用するときに前記パネルがユーザの背中とバックパックとの間に、芯材及び／又はハイドレーションバックを収納するように構成されたスリーブを伴う呼吸可能なバリアを構成し、バックパックとして使用しないときには前記スリーブが選択的に前記肩ストラップを収納するように構成されていることを特徴とするザック。
【請求項６】
バックパックにおいて：
下側ベース部と、壁手段と、物を前記バックパック内に導入しそこから取り出すための上側開口とを具える柔軟な本体部と；
前記本体部の外側に、前記開口近傍で本体部に固定されたカバー手段であって、前記ベース近傍で前記本体部に開放可能に締結するためのカバー締結手段を有し、これによって、カバー手段が開口手段を覆うカバー手段と；
前記本体部の外側で前記本体部に取り付けた複数のストラップ及び／又はコネクタと；
前記開口近傍で前記本体部に固定された肩ストラップであって、使用中は前記複数のストラップ及び／又はコネクタのうちの少なくとも一つと共働し、使用しないときは収納可能である肩ストラップと；
を具え、
前記カバー締結手段と複数のストラップ及び／又はコネクタが前記本体部内の物を圧縮するよう動作可能であることを特徴とするバックパック。
【請求項７】
図に示す実施例を参照して実質的に述べたザック。
【請求項８】
図に示す実施例を参照して実質的に述べたバックパック。
【発明の詳細な説明】
【技術分野】
【０００１】
本発明はザックに関する。
【０００２】
本明細書で用いられているように、「ザック」の表現は、柔軟な物でできており、物品、物体、材料などを保持するように構成されたあらゆる形状の容器を含む、広い意味を有する。
【０００３】
本発明は、その中の内容物を圧縮するように構成されたザックに特に適用される。このようなザックは、圧縮ザックとして知られている。本発明は、さらに、リュックザックあるいはバックパックなどの背中に背負うように構成された圧縮ザックに特に好適に適用される。
【０００４】
本発明の特に好ましい実施例は、寝袋を保持するのに使用されるいわゆるコンプレッションスタッフザックである。一の実施例では、このザックは、よくデイバックとよばれ、長距離のウォーキングあるいはキャンプの時に短い日帰り旅行に有用な、軽量バックパックに転用することができる。
【０００５】
発明の背景
このようなウォーキングトリップあるいはキャンプトリップ、特に長期間のトリップの場合は、持ち運びのための重量と、主バックパックの内容物が占めるスペースの双方を最小限にすることが重要である。非常に嵩の大きい寝袋がいわゆるスタッフザック中に詰め物をすることによって圧縮されることや、ザックが、ザックの一方の端部に取り付けられており、他端に取り付けられている係止クリップと係合する複数の引張り紐を使用することによって、更に圧縮されることはよく知られている。
【０００６】
このような公知の圧縮スタッフザックは、米国特許第４，２６７，８６８号図１に記載されている。便宜上、この特許の図１を本明細書の図１に示す。筒状ザック１１の上部の符号１２に取り付けた引張り紐１０が、ザック１１の周縁部近傍に半径方向に配置されている（この４つの引張り紐のうちの二つを図１に見ることができる。）紐１０は、ザック１１のベースの符号１４に取り付けられたリターンアンカバックル１３を介して送り込まれている。公知のバッグでは、フラップ１５がザック１１の上側開口に設けられており、また係止トグル１７付の引張りコード１６が公知の態様でスタッフザックを閉じるようにしている。
【０００７】
発明の概要
本発明は、公知のザックの代替を提供することを目的とする。
【０００８】
本発明の一の態様は、広い意味ではザック内に含まれる圧縮可能な物を圧縮するザックにあり、当該ザックが：
前記物を受ける柔軟な本体部であって、当該本体部が下側ベース部と、壁手段と、前記ザック内に前記物を導入し前記ザックから取り出すための上側開口とを有し；
前記本体部の外側に前記開口部近傍において前記本体部に固定されたカバー手段であって、前記ベース近傍で前記本体部を開放可能に締結するカバー締結手段を具え、このカバー手段が前記開口をカバーしており、
前記本体部外側に前記本体部に取り付けた複数のストラップ及び／又はコネクタと；
を具え、
前記カバー締結手段と複数のストラップ及び／又はコネクタが、前記本体部内の物を圧縮するように動作する。
【０００９】
本発明のこの態様の好適な実施例では、ザックがもう一つの、あるいはその他の複数のストラップ及び／又はコネクタと共働する肩ストラップを具えており、ザックがバックパックを構成するようにしても良い。
【００１０】
従って、本発明のもう一つの態様は、広い意味でバックパックにある。このバックパックは：
下側ベース部と、壁手段と、前記バックパック内に前記物を導入し前記バックパックから取り出すための上側開口とを有する柔軟な本体部と；
前記本体部の外側で前記開口部近傍において前記本体部に固定されたカバー手段であって、前記本体部に前記ベース近傍で開放可能に締結するカバー締結手段を具え、開口をカバーしているカバー手段と；
前記本体部外側で、前記本体部に取り付けた複数のストラップ及び／又はコネクタと；
前記開口近傍において前記本体部に固定された肩ストラップであって、使用に際して前記複数のストラップ及び／又はコネクタの少なくとも一つと共働し、使用しないときに収納可能である肩ストラップと；
を具え、
前記カバー締結手段と複数のストラップ及び／又はコネクタが、前記本体部内の物を圧縮するように動作する。
【００１１】
前記壁手段の上側部分が開口を構成しており、この開口用の引き紐を具えることが好ましい。
【００１２】
また、前記本体部は満杯のときにほぼ筒状をしており、前記カバー手段がキャップ状であり、前記カバー締結手段が本体部に締結されているときに開口を覆い、開口の下に延在するように構成されていることが好ましい。
【００１３】
また、ザックが、壁手段に並列に取り付けられている肩ストラップ間にバックパックの背部にスリーブを構成するように取り付けた多孔質の柔軟なパネル部材を具えており、バックパックとして使用するときにこのパネルが、補強部材及び／又はハイドレーションバック（hydration bladder）を収納するように構成されたスリーブと共に、使用者の背中とバックパックとの間での呼吸可能なバリアを構成し、バックパックとして使用しないときには、前記スリーブが選択的に前記肩ストラップを収納するように構成されていることが好ましい。
【図面の簡単な説明】
【００１４】
本発明をより容易に理解し、実用的な効果を得るために、本発明の好ましい実施例を示す添付図面を参照する。
【図２】図２は、ザックの開口の上に部分的に描かれているカバーと、ザックから連結が外れているカバーファスナを伴った本発明のザックの一方の側を示す斜視図である。
【図３】図３は、ザックの開口の上に部分的に描かれているカバーと、収納位置から取り出されており、圧縮ストラップと連結している肩ストラップを伴う本発明のザックの他方の側を示す斜視図である。
【図４】図４は、ザックの開口をカバーが完全に覆っており、両方の肩ストラップが収納位置にある本発明のザックの他方の側を示す斜視図である。
【図５】図５は、ザックの開口をカバーが完全に覆っており、カバーファスナがザックに連結されている本発明のザックの他方の側を示す斜視図である。
【００１５】
好ましい実施例の説明
図に示すように、本発明のザックは、ベース２２から延在して開口２３を規定する側壁２１を有する柔軟な本体２０を有する。開口２３は、引き紐２４によって引き締めることができる。圧縮ストラップ２５は、符号２７において、ベース２２近傍で本体２０に取り付けられており、公知の方法で摩擦連結リターンループバックル２６を介して送りこまれている。キャップ状のカバー２８は、開口を引き寄せたときに開口２３を覆うように、バックル２６の間の側壁２１の上側部分に固定されている。カバー２８は、公知のバックパックのトップカバーと同様であり、先のとがった摩擦連結リターンループクリップ３２を受けるメスのソケット２９を有しており、ベース２２近傍で本体２０に符号３１において固定されているストラップ３０がこのソケットを通過している。従って、ストラップ３０は、ザックの上のカバー２８を閉じると共に、圧縮ストラップとして作用する。従って、カバー締結構成２９、３０、３１、３２は、公知の圧縮スタッフザック内の圧縮ストラップ２５に対向して配置されている圧縮ストラップに取って代わるものである。
【００１６】
一対の肩ストラップ３３がバックル２６近傍の符号３４において本体２０に取り付けられている。肩ストラップ３３は、摩擦連結リターンループバックル３５で終わっている。多孔質材料層３６がその側部にとりつけられ、側壁２１をベースとして、肩ストラップ３３を収納することができる側壁に対してスリーブを形成している。代替的に、図に示していない実施例において、ストラップを取り付ける位置近傍の壁内にスリットを設けることによって、肩ストラップ３３をザック内に収納することもできる。
【００１７】
軽量バックパックとしてザックを使用するために、肩ストラップ３３をスリーブから取り外すことができ、圧縮ストラップ２５の端部をバックル２６から引き抜いて、図３の一方のストラップ２５にみられるようにバックル３５に通す。スリーブは、ザックと、ザックをバックパックとして使用する人の背中との間に呼吸可能なバリアを形成し、また、芯（スティフナ）を受けて、着用者の背中に接触するようにカーブした面というよりはむしろ、よりフラットな面を有するバックパックを提供することができる。このスリーブは、ハイドレーションバッグを収納するのに使用することもできる。
【００１８】
図に示すストラップ、バックルおよびクリップの配置は、摩擦連結リターンループバックル２６、３５を有するストラップ２５、３３を、カバー２８取り付け用の図に示す配置２９、３０、３１、３２と同様に、ソケットと先端のとがった摩擦連結リターンループクリップ配置で置き換えることを含めて、多くの好適な代替例のうちの単なる例示にすぎない。更に、ストラップの連結ポイントは、図に示すトップ／ボトム構造と逆にすることができる。
【００１９】
図２は、本発明に含めることができるいくつかの選択的な追加の構成を示す図である。別のスリーブ３７をザックの上に設けて、更に、周方向に向けた連結圧縮ストラップ３８を設けることもできる。
【００２０】
従って、本発明のザックは、内部に含まれた圧縮可能な物を圧縮するのに好適であって、当該物を受ける柔軟な本体部２０を有し、この本体部は下側ベース部２２と、壁手段２１と、前記物をザック内に導入し、ザックから取り出すための上側開口２３とを有している。ザックは、さらに、本体部２０の外側に、開口２３近傍で本体部に固定されたカバー手段２８を有する。カバー手段２８は、ベース２２近傍で本体部２０に開放可能に締結するためのカバー締結手段２９、３０、３２を有し、これによって、カバー手段２８が開口２３を覆う。ザックは、本体部２０の外側に符号２７において本体部に取り付けた複数のストラップ２５及び／又はコネクタ２６を有する。カバー締結手段２９、３０と複数のストラップ２５及び／又はコネクタ２６は、本体部２０内の物を圧縮するよう動作可能である。
【００２１】
本発明のこの態様の好ましい実施例では、ザックは肩ストラップ３３を具えており、このストラップは、もう一つのあるいはその他の複数のストラップ２５及び／又はコネクタ２６と共働し、これによって、ザックがバックパックを構成する。
【００２２】
同様に、本発明のその他の態様のバックパックは、下側ベース部２２と、壁手段２１と、バックパック内に物を導入しバックパックから取り出すための上側開口２３を有する柔軟な本体部２０を具える。バックパックはまた、本体部の外側にカバー手段２８を設けており、開口２３近傍で固定されている。カバー手段２８は、ベース２２近傍で開放可能に本体部２０に締結するカバー締結手段２９、３０を具え、これによって、カバー手段２８で開口２３を覆っている。バックパックは、本体部２０の外側に、符号２７で本体部に取り付けられた複数のストラップ２５及び／又はコネクタ２６を具える。バックパックはまた、本体部２０の外側であって、開口２３の近傍に符号３４において本体部に固定された肩ストラップ３３を具える。肩ストラップ３３は、使用時に、複数のストラップ２５及び／又はコネクタ２６の少なくとも一つと共働し、使用しないときには収納することができる。カバー締結手段２９、３０および複数のストラップ２５及び／又はコネクタ２６は、本体部２０内の物を圧縮するよう動作可能である。
【００２３】
本発明は、公知の圧縮スタッフザックと比較して多くの利点を有する。更に、上述した内容は、本発明の説明目的の例示として与えられており、これらの実施例およびその他の変更例および変形例はすべて、当業者には自明であり、ここに述べた本発明の広い範囲内にあるものと考えられる。
【図１】
2007512861.tif 000003
【図２】
2007512861.tif 000004
【図３】
2007512861.tif 000005
【図４】
2007512861.tif 000006
【図５】
2007512861.tif 000007
【国際調査報告】
2007512861.tif 000008
2007512861.tif 000009